(57)【要約】  発光装置は、励起光を出射するレーザ光源をそれぞれ有する複数の光源部と、励起光を受けて蛍光を発光する蛍光体部とを備え、複数の光源部のうち少なくとも２つの光源部は、励起光を蛍光体部における光照射面にそれぞれ照射したときに該励起光が該光照射面で重なるように、且つ、該光照射面に投影される該励起光の該光照射面での投影光の長尺な形状の長手方向が互いに平行又は略平行になるように構成されている。
2017077757.tif 000002
【特許請求の範囲】
【請求項１】
励起光を出射するレーザ光源をそれぞれ有する複数の光源部と、
前記励起光を受けて蛍光を発光する蛍光体部と
を備え、
前記複数の光源部のうち少なくとも２つの光源部は、前記励起光を前記蛍光体部における光照射面にそれぞれ照射したときに該励起光が該光照射面で重なるように、且つ、該光照射面に投影される該励起光の該光照射面での投影光の長尺な形状の長手方向が互いに平行又は略平行になるように構成されていることを特徴とする発光装置。
【請求項２】
請求項１に記載の発光装置であって、
前記複数の光源部は、全ての前記投影光の形状の長手方向が平行又は略平行になるように構成されていることを特徴とする発光装置。
【請求項３】
請求項２に記載の発光装置であって、
前記投影光の形状の長手方向が、前記蛍光が外部に投光された場合に水平方向又は略水平方向となるように構成されていることを特徴とする発光装置。
【請求項４】
請求項１に記載の発光装置であって、
前記少なくとも２つの光源部の前記投影光の形状の長手方向が前記励起光の前記光照射面への進行方向に沿った光照射方向に対して平行又は略平行になるように構成されていることを特徴とする発光装置。
【請求項５】
請求項１に記載の発光装置であって、
前記少なくとも２つの光源部の前記投影光の形状の長手方向が前記励起光の前記光照射面への進行方向に沿った光照射方向に対して直交又は略直交するように構成されていることを特徴とする発光装置。
【発明の詳細な説明】
【技術分野】
【０００１】
本発明は、励起光を蛍光体部における光照射面に照射することで蛍光を発光する発光装置、照明装置及び車両用前照灯に関する。
【背景技術】
【０００２】
励起光源として発光ダイオード（ＬＥＤ：Ｌｉｇｈｔ  Ｅｍｉｔｔｉｎｇ  Ｄｉｏｄｅ）光源や半導体レーザ（ＬＤ：Ｌａｓｅｒ  Ｄｉｏｄｅ）光源を用い、これらの励起光源から出射された励起光を、蛍光体を含む蛍光体部における光照射面に照射することによって蛍光を発光する発光装置が従来から知られている（例えば特許文献１参照）。【０００３】
このうち、半導体レーザ光源を用いた発光装置は、発光ダイオード光源を用いた発光装置に比べ、励起光の光軸方向に直交する垂直断面（スポット）のサイズ（スポットサイズ）を小さくできるため、高輝度の蛍光を得ることできる。ここで、半導体レーザ光源を用いた発光装置において、半導体レーザの共振長が短いこと及び半導体レーザ素子から出る光の出射部分が極端に扁平なことから、励起光のスポットの形状、ひいては、励起光を蛍光体部における光照射面に照射したときの該光照射面に投影される該励起光の該光照射面での投影光は、通常は、長尺な形状（具体的には楕円形状）となる。【０００４】
一方、半導体レーザ光源を用いた発光装置は、投光器等の照明装置や車両用前照灯といった、より一層の高輝度の蛍光を得ることが要求されるものに備えられることがあり、かかる場合、より一層の高輝度を得るために、複数の励起光を該励起光が蛍光体部における光照射面で重なるように該光照射面に照射することで、該光照射面での該励起光が重なった部分の蛍光の輝度をさらに大きくすることができる（例えば特許文献２の図７及び特許文献３の図９参照）。
【先行技術文献】
【特許文献】
【０００５】
【特許文献１】特開２０１１−１３４６１９号公報
【特許文献２】特許第４１２４４４５号公報
【特許文献３】特開２０１５−６５１４４号公報
【発明の概要】
【発明が解決しようとする課題】
【０００６】
しかしながら、特許文献２，３に記載の従来の構成のように、単に、複数の励起光を該励起光が蛍光体部における光照射面で重なるように該光照射面に照射するだけでは、次のような不都合がある。【０００７】
図１７は、複数の励起光Ｌ１，Ｌ２，Ｌ３を励起光Ｌ１，Ｌ２，Ｌ３が蛍光体部１２０における光照射面１２０ａで重なるように光照射面１２０ａに照射する従来の構成において、励起光Ｌ１，Ｌ２，Ｌ３を光照射面１２０ａに照射したときの励起光Ｌ１，Ｌ２，Ｌ３が光照射面１２０ａで重なる状態を平面から視た概略平面図である。なお、図１７は、蛍光体部１２０を間にして等方配設された一組のレーザ光源（図示せず）からそれぞれ励起光Ｌ１，Ｌ２，Ｌ３を出射する例を示しており、図１７において、符号Ｗは、一組のレーザ光源の光照射方向を示している。【０００８】
従来の構成では、図１７に示すように、励起光Ｌ１，Ｌ２，Ｌ３を蛍光体部１２０における光照射面１２０ａに照射したときの励起光Ｌ１，Ｌ２，Ｌ３の光照射面１２０ａでの長尺な投影光Ｍ１，Ｍ２，Ｍ３の形状の長手方向が交差（特に図示例のように均等に交差）する場合には、光照射面１２０ａでの励起光Ｌ１，Ｌ２，Ｌ３が重なった部分（図１７の斜線部参照）の面積が小さくなり、それだけ蛍光の光強度が低下してしまう。従って、複数の励起光Ｌ１，Ｌ２，Ｌ３を重ねて蛍光体部１２０における光照射面１２０ａに照射したとしても、蛍光体部１２０における光照射面１２０ａでの蛍光の輝度を十分に得ることができていないのが実情である。【０００９】
そこで、本発明は、複数の励起光を重ねて蛍光体部における光照射面に照射するにあたり、光照射面での蛍光の輝度を向上させることができる発光装置、照明装置及び車両用前照灯を提供することを目的とする。
【課題を解決するための手段】
【００１０】
本発明は、前記課題を解決するために、次の発光装置、照明装置及び車両用前照灯を提供する。【００１１】
すなわち、本発明に係る発光装置は、励起光を出射するレーザ光源をそれぞれ有する複数の光源部と、前記励起光を受けて蛍光を発光する蛍光体部とを備え、前記複数の光源部のうち少なくとも２つの光源部は、前記励起光を前記蛍光体部における光照射面にそれぞれ照射したときに該励起光が該光照射面で重なるように、且つ、該光照射面に投影される該励起光の該光照射面での投影光の長尺な形状の長手方向が互いに平行又は略平行になるように構成されていることを特徴とする。また、本発明に係る照明装置は、前記本発明に係る発光装置を備えたことを特徴とする。また、本発明に係る車両用前照灯は、前記本発明に係る発光装置を備えたことを特徴とする。【００１２】
本発明において、前記複数の光源部は、全ての前記投影光の形状の長手方向が平行又は略平行になるように構成されている態様を例示できる。【００１３】
本発明において、前記投影光の形状の長手方向が、前記蛍光が外部に投光された場合に水平方向又は略水平方向となるように構成されている態様を例示できる。【００１４】
本発明において、前記少なくとも２つの光源部の前記投影光の形状の長手方向が前記励起光の前記光照射面への進行方向に沿った光照射方向に対して平行又は略平行になるように構成されている態様を例示できる。【００１５】
本発明において、前記少なくとも２つの光源部の前記投影光の形状の長手方向が前記励起光の前記光照射面への進行方向に沿った光照射方向に対して直交又は略直交するように構成されている態様を例示できる。【００１６】
本発明において、前記少なくとも２つの光源部の前記投影光の形状の長手方向が前記励起光の前記光照射面への進行方向に沿った光照射方向に対して斜めになるように構成されている態様を例示できる。【００１７】
本発明において、前記投影光の形状の長手方向の前記光照射方向に対する角度が４５度又は略４５度である態様を例示できる。【００１８】
本発明において、前記少なくとも２つの光源部は、前記レーザ光源をそれぞれ有する一対の光源部とされている態様を例示できる。【００１９】
本発明において、前記一対の光源部は、一方の光源部の前記励起光の前記光照射面への進行方向に沿った光照射方向と、他方の光源部の前記励起光の前記光照射面への進行方向に沿った光照射方向とが平行又は略平行となるように配設されている態様を例示できる。【００２０】
本発明において、前記一対の光源部は、前記蛍光体部を間にして一方側及び前記一方側とは反対側の他方側に位置するように配設されている態様を例示できる。【００２１】
本発明において、前記一対の光源部は、前記蛍光体部を間にして互いに対向するように配設されている態様を例示できる。【００２２】
本発明において、前記一対の光源部の前記励起光の光軸が同一仮想平面又は略同一仮想平面上に位置し、該同一仮想平面又は略同一仮想平面は、前記蛍光体部における前記光照射面に対して直交又は略直交している態様を例示できる。【００２３】
本発明において、前記一対の光源部は、線対称又は略線対称になるように構成されている態様を例示できる。【００２４】
本発明において、前記一対の光源部を複数対備えている態様を例示できる。【００２５】
本発明において、前記複数対の光源部の少なくとも２組の前記一対の光源部は、前記励起光が前記蛍光体部における前記光照射面で重なるように構成されている態様を例示できる。【００２６】
本発明において、前記複数対の光源部は、少なくとも２組の前記一対の光源部が線対称又は略線対称になるように構成されている態様を例示できる。【００２７】
本発明において、前記複数対の光源部は、少なくとも２組の前記一対の光源部が前記蛍光体部を間にして互いに対向するように配設されている態様を例示できる。【００２８】
本発明において、前記複数対の光源部は、該複数対の光源部のうちの１組の一対の光源部及び他の１組の一対の光源部は、前記１組の一対の光源部が対向する第１の対向方向と前記他の１組の一対の光源部が対向する第２の対向方向とが直交又は略直交するように構成されている態様を例示できる。【００２９】
本発明において、前記複数対の光源部は、該複数対の光源部のうちの１組の一対の光源部及び他の１組の一対の光源部は、前記１組の一対の光源部が対向する第１の対向方向と前記他の１組の一対の光源部が対向する第２の対向方向とが平行又は略平行になるように構成されている態様を例示できる。【００３０】
本発明において、前記１組の一対の光源部の励起光の光軸と前記他の１組の一対の光源部の光軸とが同一仮想平面又は略同一仮想平面上に位置し、該同一仮想平面又は略同一仮想平面は、前記蛍光体部における前記光照射面に対して直交又は略直交している態様を例示できる。【００３１】
本発明において、前記一対の光源部は、一方の光源部の前記励起光の前記光照射面への進行方向に沿った光照射方向と、他方の光源部の前記励起光の前記光照射面への進行方向に沿った光照射方向とが交差するように配設されている態様を例示できる。【００３２】
本発明において、前記少なくとも２つの光源部における前記レーザ光源から出射される前記励起光の光軸方向に直交する垂直断面の形状が何れも等しい又は略等しい形状とされ、前記少なくとも２つの光源部は、前記蛍光体部における前記光照射面にそれぞれ照射される前記励起光の入射角度が互いに等しい又は略等しくなるように構成されている態様を例示できる。【００３３】
本発明において、前記少なくとも２つの光源部は、前記蛍光体部を間にして内側から外側に行くに従って、前記光照射面に照射される前記励起光の入射角度が大きくなるように配設されている態様を例示できる。【００３４】
本発明において、前記少なくとも２つの光源部は、前記レーザ光源から出射される前記励起光を反射させる反射ミラーをそれぞれ備え、前記蛍光体部は、前記少なくとも２つの光源部における前記反射ミラーから反射される前記励起光を受けて前記蛍光を発光する態様を例示できる。【００３５】
本発明において、前記少なくとも２つの光源部は、前記レーザ光源が前記反射ミラーに向けて出射する前記励起光が互いに平行又は略平行になるように構成されている態様を例示できる。【００３６】
本発明において、前記少なくとも２つの光源部は、前記レーザ光源が前記反射ミラーに向けて出射する前記励起光が何れも前記蛍光体部における前記光照射面に対して直交又は略直交するように構成されている態様を例示できる。【００３７】
本発明において、前記少なくとも２つの光源部からの前記励起光を前記蛍光体部における前記光照射面に直接的に照射する構成とされている態様を例示できる。【００３８】
本発明において、前記励起光を前記蛍光体部における前記光照射面に照射して該光照射面から前記蛍光を出射する反射型の発光原理を用いる態様を例示できる。【００３９】
本発明において、前記励起光を前記蛍光体部における前記光照射面に照射して該光照射面とは反対側の面から前記蛍光を出射する透過型の発光原理を用いる態様を例示できる。【００４０】
本発明において、前記蛍光体部における前記光照射面及び該光照射面とは反対側の面のうち、前記蛍光を出射する側の面からの前記蛍光を投光する投光レンズを備えている態様を例示できる。【００４１】
本発明において、前記励起光の前記蛍光体部における前記光照射面への入射角度は、前記投光レンズの取り込み角度よりも大きい態様を例示できる。【００４２】
本発明において、前記蛍光体部における前記光照射面からの前記蛍光を投光するリフレクターを備えている態様を例示できる。
【発明の効果】
【００４３】
本発明によると、複数の励起光を重ねて蛍光体部における光照射面に照射するにあたり、光照射面での蛍光の輝度を向上させることが可能となる。
【図面の簡単な説明】
【００４４】
【図１】図１は、第１実施形態に係る発光装置の概略構成を示す断面図である。
【図２】図２は、図１に示す発光装置の光源部、蛍光体部及び投光レンズを抜き出して示す概略構成図であって、（ａ）及び（ｂ）は、それぞれ、その側面図及び平面図である。
【図３】図３は、励起光を蛍光体部における光照射面に対して入射角度をつけて照射した場合において光照射面での投影光の状態を説明するための説明図であって、（ａ）は、入射角度をつけた励起光及び励起光を照射した光照射面での投影光を示す概略断面図であり、（ｂ）から（ｄ）は、それぞれ、投影光の形状の長手方向が励起光の光照射面への進行方向に沿った光照射方向に対して平行又は略平行になっている場合、直交又は略直交している場合、及び、斜めになっている場合での励起光の光軸方向に直交する垂直断面及び投影光の形状を平面から視た概略平面図である。
【図４】図４は、第１実施形態に係る発光装置において、光照射面に投影される励起光の光照射面での投影光を示す概略平面図であって、（ａ）から（ｃ）は、それぞれ、投影光の形状の長手方向が光照射方向に対して平行又は略平行になっている場合、直交又は略直交している場合、及び、斜めになっている場合での投影光の状態を示す図である。
【図５】図５は、第２実施形態に係る発光装置の一例を示す概略構成図であって、（ａ）及び（ｂ）は、それぞれ、第１実施形態に係る発光装置において一対の光源部をさらに備えた一例を示す側面図及び平面図である。
【図６】図６は、図５に示す第２実施形態に係る発光装置において、光照射面に投影される励起光の光照射面での投影光を示す概略平面図であって、（ａ）から（ｅ）は、その各例を示す図である。
【図７】図７は、図５に示す第２実施形態に係る発光装置において、光照射面に投影される励起光の光照射面での投影光を示す概略平面図であって、（ａ）から（ｄ）は、その各例を示す図である。
【図８】図８は、図６（ａ）に示す例おいて、本体シャーシを架台に固定したときの概略断面図を示す。
【図９】図９は、図６（ｃ）に示す例おいて、本体シャーシを架台に固定したときの概略断面図である。
【図１０】図１０は、第２実施形態に係る発光装置の他の例を示す概略構成図であって、（ａ）及び（ｂ）は、それぞれ、第１実施形態に係る発光装置において一対の光源部をさらに備えた他の例を示す側面図及び平面図である。
【図１１】図１１は、図１０に示す第２実施形態に係る発光装置において、光照射面に投影される励起光の光照射面での投影光を示す概略平面図であって、（ａ）から（ｅ）は、その各例を示す図である。
【図１２】図１２は、図１０に示す第２実施形態に係る発光装置において、光照射面に投影される励起光の光照射面での投影光を示す概略平面図であって、（ａ）から（ｄ）は、その各例を示す図である。
【図１３】図１３は、第３実施形態に係る発光装置を示す概略構成図であって、光源部からの励起光を蛍光体部における光照射面に直接的に照射する例を示す断面図である。
【図１４】図１４は、第４実施形態に係る発光装置を示す概略構成図であって、透過型の構成例を示す断面図である。
【図１５】図１５は、第５実施形態に係る発光装置を示す概略構成図であって、一対の光源部の光照射方向が交差する例を示す側面図である。
【図１６】図１６は、第６実施形態に係る発光装置を示す概略構成図であって、リフレクターを備えた例を示す側面図である。
【図１７】図１７は、複数の励起光を励起光が蛍光体部における光照射面で重なるように光照射面に照射する従来の構成において、励起光を光照射面に照射したときの励起光が光照射面で重なる状態を平面から視た概略平面図である。
【発明を実施するための形態】
【００４５】
以下、本発明に係る実施の形態について図面を参照しながら説明する。
【００４６】
［第１実施形態］
図１は、第１実施形態に係る発光装置１００の概略構成を示す断面図である。図２は、図１に示す発光装置１００の光源部１１０〜１１０、蛍光体部１２０及び投光レンズ１７０を抜き出して示す概略構成図であって、図２（ａ）及び図２（ｂ）は、それぞれ、その側面図及び平面図である。なお、図２（ｂ）では、投光レンズ１７０は図示を省略する一方、保持部材１６１を図示している。このことは、後述する図５（ｂ）及び図１０（ｂ）についても同様である。
【００４７】
図１及び図２に示すように、発光装置１００は、励起光Ｌを出射するレーザ光源１１１［図１及び図２（ａ）参照］をそれぞれ有する複数（この例では２つ）の光源部１１０〜１１０と、複数（この例では２つ）の励起光Ｌ〜Ｌを受けて蛍光Ｆ［図１及び図２（ａ）参照］を発光する蛍光体部１２０とを備えている。
【００４８】
蛍光Ｆ（より正確には励起光Ｌと蛍光Ｆとが混色した投影光Ｍ）の色は用途に応じて任意に選択できる。例えば、自動車用前照灯には青色レーザを励起光Ｌとして黄色に発光する蛍光体に照射することで得られる白色光が好適である。また、青色レーザを励起光Ｌとして赤色と緑色とに発光する蛍光体に照射することで得られる白色光が好適である。
【００４９】
詳しくは、複数（この例では２つ）のレーザ光源１１１〜１１１は、半導体レーザ素子１１１ａ（ＬＤ：Ｌａｓｅｒ  Ｄｉｏｄｅ）［図１及び図２（ａ）参照］をそれぞれ含むレーザ光源とされている。蛍光体部１２０は、蛍光体を含んでいる。なお、複数（この例では２つ）の半導体レーザ素子１１１ａ〜１１１ａ及び蛍光体部１２０は、従来公知のものを用いることができ、ここでは詳しい説明を省略する。
【００５０】
そして、発光装置１００は、レーザ光源１１１〜１１１からそれぞれ出射された励起光Ｌ〜Ｌを蛍光体部１２０における光照射面１２０ａに照射することによって発生する蛍光Ｆ［図１及び図２（ａ）参照］を照明光として利用する。ここで、発光装置１００において、励起光Ｌ〜Ｌの軸線方向に直交する垂直断面（スポット）の形状、ひいては、励起光Ｌ〜Ｌを蛍光体部１２０における光照射面１２０ａに照射したときの光照射面１２０ａに投影される励起光Ｌ〜Ｌの光照射面１２０ａでの投影光Ｍ〜Ｍは、長尺な形状（具体的には楕円形状）となっている。励起光Ｌ〜Ｌのスポットの形状の長手方向のサイズと短手方向のサイズとの比としては、それには限定されないが、例えば、１０：３程度を挙げることができる。
【００５１】
具体的には、発光装置１００は、本体シャーシ１３０（図１参照）と、複数（この例では２つ）の光源ユニット１４０〜１４０（図１参照）と、押えプレート１５０（図１参照）とをさらに備えている。
【００５２】
本体シャーシ１３０は、発光装置１００の本体部を構成している。本体シャーシ１３０には、光源ユニット１４０〜１４０をそれぞれ収容する収容部１３１（図１参照）が設けられている。
【００５３】
光源ユニット１４０〜１４０は、光源部１１０〜１１０をそれぞれ構成するレーザ光源１１１〜１１１を備え、レーザ光源１１１〜１１１を保持した状態で本体シャーシ１３０における複数（この例では２つ）の収容部１３１〜１３１にそれぞれ収容されて押えプレート１５０にて本体シャーシ１３０にビス等の固定部材ＳＣ〜ＳＣ（図１参照）により固定されるようになっている。
【００５４】
また、本体シャーシ１３０には、光源ユニット１４０〜１４０から出射された励起光Ｌ〜Ｌを通過させる励起光用通過孔１３２〜１３２がそれぞれ設けられている。また、本体シャーシ１３０には、蛍光体部１２０における光照射面１２０ａから出射された投影光Ｍ〜Ｍを通過させる投影光用通過孔１３３が設けられている。励起光用通過孔１３２〜１３２は、光源ユニット１４０〜１４０から出射された励起光Ｌ〜Ｌの光軸方向又は略光軸方向に沿っている。投影光用通過孔１３３は、光照射面１２０ａに直交又は略直交する方向に沿っている。この例では、本体シャーシ１３０には、励起光用通過孔１３２〜１３２と投影光用通過孔１３３とが連通するように設けられている。
【００５５】
光源部１１０〜１１０は、それぞれ、レーザ光源１１１〜１１１から出射される励起光Ｌ〜Ｌを反射させる反射ミラー１１２をさらに備えている。
【００５６】
発光装置１００は、複数（この例では２つ）のミラーユニット１６０〜１６０（図１参照）をさらに備えている。ミラーユニット１６０〜１６０は、光源部１１０〜１１０をそれぞれ構成する反射ミラー１１２〜１１２と、複数（この例では２つ）の反射ミラー１１２〜１１２を本体シャーシ１３０にそれぞれ保持する複数（この例では２つ）の保持部材１６１〜１６１［図１及び図２（ｂ）参照］とを備えている。詳しくは、反射ミラー１１２〜１１２は、それぞれ、保持部材１６１〜１６１を介して本体シャーシ１３０における投影光用通過孔１３３の内壁に設けられている。
【００５７】
また、光源ユニット１４０〜１４０は、それぞれ、コリメートレンズ１４１〜１４１（図１参照）をさらに備えている。複数（この例では２つ）のコリメートレンズ１４１〜１４１は、それぞれ、レーザ光源１１１〜１１１の光射出口１１１ｂ〜１１１ｂ［図１及び図２（ｂ）参照］の近傍に設けられている。コリメートレンズ１４１〜１４１は、励起光Ｌ〜Ｌが反射ミラー１１２〜１１２に適切に照射されて励起光Ｌ〜Ｌの軸線方向に直交する垂直断面（スポット）のサイズ（スポットサイズ）等を調節（例えば小さく）するための光学部材である。コリメートレンズ１４１〜１４１は、例えば、凸レンズ等の光学部材で構成することができる。光源ユニット１４０〜１４０は、コリメートレンズ１４１〜１４１を光軸方向に移動させることにより、例えば、ねじ構造１４２〜１４２（図１では図示せず、後述する図１３及び図１４参照）により光軸に沿った軸線回りに回転させつつ光軸方向に移動させることにより励起光Ｌ〜Ｌのスポットサイズを調整することが可能である。
【００５８】
発光装置１００は、蛍光体部１２０における光照射面１２０ａ及び光照射面１２０ａとは反対側の面１２０ｂ［図１及び図２（ａ）参照］のうち、蛍光Ｆを出射する側の面（この例では光照射面１２０ａ）からの蛍光Ｆを投光する投光レンズ１７０［図１及び図２（ａ）参照］をさらに備えている。
【００５９】
この例では、蛍光体部１２０の光照射面１２０ａとは反対側にレーザ光源１１１〜１１１が設けられ、蛍光体部１２０と投光レンズ１７０との間の位置に反射ミラー１１２〜１１２が設けられている。
【００６０】
以上説明した発光装置１００では、レーザ光源１１１〜１１１から出射された励起光Ｌ〜Ｌが反射ミラー１１２〜１１２に反射されて蛍光体部１２０における光照射面１２０ａに照射され、これにより蛍光Ｆが発生する。そうすると、蛍光Ｆを出射する側の面（この例では光照射面１２０ａ）で出射した蛍光Ｆが投光レンズ１７０を介して外部に投光される。
【００６１】
そして、第１実施形態では、複数の光源部１１０〜１１０は、励起光Ｌ〜Ｌを蛍光体部１２０における光照射面１２０ａにそれぞれ照射したときに励起光Ｌ〜Ｌが光照射面１２０ａで重なるように（好ましくは少なくとも一つの励起光が他の励起光に対して光照射面１２０ａで全て重なるように）、且つ、光照射面１２０ａに投影される励起光Ｌ〜Ｌの光照射面１２０ａでの投影光Ｍ〜Ｍ（後述する図４参照）の長尺な形状の長手方向が互いに平行又は略平行になるように構成（具体的には配設、より具体的には調整された状態で配設）されている。
【００６２】
この例では、複数の光源部１１０〜１１０は、全ての投影光Ｍ〜Ｍの形状の長手方向が平行又は略平行になるように構成されている。
【００６３】
また、複数の光源部１１０〜１１０は、投影光Ｍ〜Ｍの形状の長手方向が、蛍光Ｆが外部に投光された場合に水平方向又は略水平方向となるように構成されている。
【００６４】
ここで、励起光Ｌ〜Ｌが光照射面１２０ａで重なるように、且つ、投影光Ｍ〜Ｍの長尺な形状の長手方向が互いに平行又は略平行になるように、複数の光源部１１０〜１１０を調整する態様としては、例えば、レーザ光源１１１〜１１１（この例では光源ユニット１４０〜１４０）を励起光Ｌの光軸方向に直交する面に沿った方向及び励起光Ｌの光軸方向に沿った軸線回りの回転方向に移動させることによって調整する態様を例示できる。なお、かかる調整は、例えば、作業者が調整用治具を用いて光源ユニット１４０〜１４０を移動させつつ拡大表示装置のモニターを観察しながら行うことができる。
【００６５】
本実施の形態によれば、複数の光源部１１０〜１１０は、励起光Ｌ〜Ｌを蛍光体部１２０における光照射面１２０ａにそれぞれ照射したときに励起光Ｌ〜Ｌが光照射面１２０ａで重なるように、且つ、光照射面１２０ａに投影される励起光Ｌ〜Ｌの光照射面１２０ａでの投影光Ｍ〜Ｍの長尺な形状の長手方向が互いに平行又は略平行になるように構成されていることで、蛍光体部１２０〜１２０における光照射面１２０ａでの励起光Ｌ〜Ｌが重なった部分の面積を大きくすることができ、それだけ蛍光Ｆの光強度を向上させることができる。従って、複数の励起光Ｌ〜Ｌを重ねて蛍光体部１２０における光照射面１２０ａに照射するにあたり、蛍光体部１２０における光照射面１２０ａでの蛍光Ｆの輝度を向上させることが可能となる。
【００６６】
また、複数の光源部１１０〜１１０は、全ての投影光Ｍ〜Ｍの形状の長手方向が平行又は略平行になるように構成されていることで、蛍光Ｆの光強度を効果的に向上させることができる。従って、複数の励起光Ｌ〜Ｌを重ねて蛍光体部１２０における光照射面１２０ａに照射するにあたり、蛍光体部１２０における光照射面１２０ａでの蛍光Ｆの輝度をさらに向上させることが可能となる。
【００６７】
また、複数の光源部１１０〜１１０は、投影光Ｍ〜Ｍの形状の長手方向が、蛍光Ｆが外部に投光された場合に水平方向又は略水平方向となるように構成されていることで、自動車用前照灯などの水平方向に広い指向特性が望ましい用途に好適に用いることができる。
【００６８】
なお、図１及び図２において、説明していない符号については、後ほど説明する。
【００６９】
（第１実施形態−１〜４について）
図３は、励起光Ｌを蛍光体部１２０における光照射面１２０ａに対して入射角度θをつけて照射した場合において光照射面１２０ａでの投影光Ｍの状態を説明するための説明図である。図３（ａ）は、入射角度θをつけた励起光Ｌ及び励起光Ｌを照射した光照射面１２０ａでの投影光Ｍを示す概略断面図であり、図３（ｂ）から図３（ｄ）は、それぞれ、投影光Ｍの形状の長手方向が励起光Ｌの光照射面１２０ａへの進行方向に沿った光照射方向Ｗに対して平行又は略平行になっている場合、直交又は略直交している場合、及び、斜めになっている場合での励起光Ｌの光軸方向に直交する垂直断面及び投影光Ｍの形状を平面から視た概略平面図である。なお、図３において、光源部１１０〜１１０を一対の光源部１１０，１１０とし、一対の励起光Ｌ，Ｌ及び一対の投影光Ｍ，Ｍのうち、一方の励起光Ｌ及び一方の投影光Ｍを他方の励起光Ｌ及び他方の投影光Ｍに代表させて示しており、他方の励起光Ｌ及び他方の投影光Ｍは図示を省略している。
【００７０】
ここで、投影光Ｍの長手方向としては、投影光Ｍの長尺な形状において一端から他端に引いた直線の中で最長となる直線Ｋｍａｘ［図３（ｂ）から図３（ｄ）参照］の方向を例示できる。また、投影光Ｍの短手方向としては、投影光Ｍの長尺な形状において一端から他端に引いた直線の中で最短となる直線の方向を例示できる。
【００７１】
図３に示すように、励起光Ｌ，Ｌを蛍光体部１２０における光照射面１２０ａに対して入射角度θ，θ［図１、図２（ａ）及び図３（ａ）参照］をつけると、投影光Ｍ，Ｍの形状の光照射方向ＷにおけるサイズｄＭ（＝ｄＬ／ｃｏｓθ）［図３（ａ）参照］が、励起光Ｌの光軸方向に直交する垂直断面（スポット）の形状の光照射方向ＷにおけるサイズｄＬ（スポットサイズ）に対して、（ｄＬ／ｃｏｓθ）−ｄＬだけ大きくなる。
【００７２】
すなわち、投影光Ｍ，Ｍの形状の長手方向の光照射方向Ｗに対する向き（角度）が異なることによって、投影光Ｍ，Ｍの形状の長手方向のサイズや短手方向のサイズが異なってくる。従って、発光装置１００の使用用途に応じて、投影光Ｍ，Ｍの形状の長手方向の光照射方向Ｗに対する向きを決定することが望まれる。ここで、光照射方向Ｗは、励起光Ｌの光照射面１２０ａへの入射方向及び反射方向に沿った方向とも言える。
【００７３】
これについて、光源部１１０〜１１０を一対の光源部１１０，１１０として図４を参照しながら以下に説明する。
【００７４】
図４は、第１実施形態に係る発光装置１００において、光照射面１２０ａに投影される励起光Ｌ〜Ｌの光照射面１２０ａでの投影光Ｍ〜Ｍを示す概略平面図である。図４（ａ）から図４（ｃ）は、それぞれ、投影光Ｍ〜Ｍの形状の長手方向が光照射方向Ｗに対して平行又は略平行になっている場合、直交又は略直交している場合、及び、斜めになっている場合での投影光Ｍ〜Ｍの状態を示している。
【００７５】
＜第１実施形態−１＞
この点、第１実施形態に係る発光装置１００において、この例では、一対の光源部１１０，１１０の投影光Ｍ（Ｍ１），Ｍ（Ｍ２）の形状の長手方向が励起光Ｌ（Ｌ１），Ｌ（Ｌ２）の光照射面１２０ａへの進行方向に沿った光照射方向Ｗに対して平行又は略平行になるように構成（具体的には配設、より具体的には調整された状態で配設）されている［図４（ａ）参照］。
【００７６】
かかる構成によると、光源部１１０，１１０の投影光Ｍ（Ｍ１），Ｍ（Ｍ２）の形状の長手方向が光照射方向Ｗに対して平行又は略平行になるように構成されていることで、励起光Ｌ（Ｌ１），Ｌ（Ｌ２）の蛍光体部１２０における光照射面１２０ａへの入射角度θ（θ１），θ（θ２）が大きくなるに従って、投影光Ｍ（Ｍ１），Ｍ（Ｍ２）の形状の長手方向のサイズが大きくなることから、所定の直線方向に広い指向特性が望ましい用途（例えば水平方向に広い指向特性が望ましい車両用前照灯）に好適に用いることができる。
【００７７】
＜第１実施形態−２＞
また、第１実施形態に係る発光装置１００において、この例では、一対の光源部１１０，１１０の投影光Ｍ（Ｍ１），Ｍ（Ｍ２）の形状の長手方向が励起光Ｌ（Ｌ１），Ｌ（Ｌ２）の光照射面１２０ａへの進行方向に沿った光照射方向Ｗに対して直交又は略直交するように構成（具体的には配設、より具体的には調整された状態で配設）されている［図４（ｂ）参照］。
【００７８】
かかる構成によると、光源部１１０，１１０の投影光Ｍ（Ｍ１），Ｍ（Ｍ２）の形状の長手方向が光照射方向Ｗに対して直交又は略直交するように構成されていることで、励起光Ｌ（Ｌ１），Ｍ（Ｌ２）の蛍光体部１２０における光照射面１２０ａへの入射角度θ（θ１），θ（θ２）が大きくなるに従って、投影光Ｍ（Ｍ１），Ｍ（Ｍ２）の形状の短手方向のサイズが大きくなり、投影光Ｍ（Ｍ１），Ｍ（Ｍ２）の形状が真円側に近づくことから、略全方向に広い指向特性が望ましい用途（例えば略全方向に広い指向特性が望ましい投光器）に好適に用いることができる。
【００７９】
＜第１実施形態−３＞
ところで、発光装置１００を水平方向又は鉛直方向に設ける場合、この例では、一対の光源部１１０，１１０を光照射方向Ｗが水平方向に対して斜めになるように（対角線方向に）配設する場合において、水平方向又は鉛直方向に広い指向特性が望まれる場合がある。従って、光源部１１０，１１０を光照射方向Ｗが水平方向又は鉛直方向に対して斜めになるように配設する場合において水平方向又は鉛直方向に広い指向特性に対応することが望まれる。
【００８０】
この点、第１実施形態に係る発光装置１００において、この例では、一対の光源部１１０，１１０の投影光Ｍ（Ｍ１），Ｍ（Ｍ２）の形状の長手方向（又は短手方向）が励起光Ｌ（Ｌ１），Ｌ（Ｌ２）の光照射面１２０ａへの進行方向に沿った光照射方向Ｗに対して斜めになるように構成（具体的には配設、より具体的には調整された状態で配設）されている［図４（ｃ）参照］。
【００８１】
かかる構成によると、光源部１１０，１１０の投影光Ｍ（Ｍ１），Ｍ（Ｍ２）の形状の長手方向（又は短手方向）が光照射方向Ｗに対して斜めになるように構成されていることで、光源部１１０，１１０を光照射方向Ｗが水平方向又は鉛直方向に対して斜めになるように配設する場合において水平方向又は垂直方向に広い指向特性が望ましい用途（例えば水平方向に広い指向特性が望ましい車両用前照灯）に好適に用いることができ、従って、水平方向又は鉛直方向に広い指向特性に対応することが可能となる。
【００８２】
＜第１実施形態−４＞
第１実施形態に係る発光装置１００において、投影光Ｍ（Ｍ１），Ｍ（Ｍ２）の形状の長手方向（又は短手方向）の光照射方向Ｗに対する角度φ（φ１），φ（φ２）［図４（ｃ）参照］が４５度又は略４５度である。
【００８３】
かかる構成によると、投影光Ｍ（Ｍ１），Ｍ（Ｍ２）の形状の長手方向（又は短手方向）の光照射方向Ｗに対する角度φ（φ１），φ（φ２）が４５度又は略４５度であることで、この例では、一対の光源部１１０，１１０を水平方向と鉛直方向との中間位置に設けることができ、それだけ発光装置１００の小型化を実現させることができる。
【００８４】
＜第１実施形態−５＞
第１実施形態に係る発光装置１００において、光源部１１０〜１１０は、既述のとおり、レーザ光源１１１をそれぞれ有する一対の光源部１１０，１１０とされている。
【００８５】
かかる構成によると、光源部１１０〜１１０は、レーザ光源１１１をそれぞれ有する一対の光源部１１０，１１０とされていることで、最小限の構成で蛍光体部１２０における光照射面１２０ａでの蛍光の輝度を向上させることができる。
【００８６】
＜第１実施形態−６＞
第１実施形態に係る発光装置１００において、一対の光源部１１０，１１０は、一方の光源部１１０の励起光Ｌ（Ｌ１）の光照射面１２０ａへの進行方向に沿った光照射方向Ｗと、他方の光源部１１０の励起光Ｌ（Ｌ２）の光照射面１２０ａへの進行方向に沿った光照射方向Ｗとが平行又は略平行となるように配設されている。
【００８７】
かかる構成によると、一対の光源部１１０，１１０は、一方の光源部１１０の光照射方向Ｗと、他方の光源部１１０の光照射方向Ｗとが平行又は略平行となるように配設されていることで、一方の光源部１１０及び他方の光源部１１０の光照射方向Ｗを一方向又は略一方向に揃えることができる。
【００８８】
＜第１実施形態−７＞
第１実施形態に係る発光装置１００において、一対の光源部１１０，１１０は、蛍光体部１２０を間にして一方側及び一方側とは反対側の他方側に位置するように配設されている。
【００８９】
かかる構成によると、一対の光源部１１０，１１０は、蛍光体部１２０を間にして一方側及び一方側とは反対側の他方側に位置するように配設されていることで、励起光Ｌ，Ｌを蛍光体部１２０における光照射面１２０ａに重ね合わせると共に、投影光Ｍの長尺な形状の長手方向を互いに平行又は略平行にするための一対の光源部１１０，１１０の構成を簡単且つ容易に実現させることができる。
【００９０】
＜第１実施形態−８＞
第１実施形態に係る発光装置１００において、一対の光源部１１０，１１０は、蛍光体部１２０を間にして互いに対向するように配設されている。
【００９１】
ここで、対向方向Ｘは、一対の光源部１１０，１１０が蛍光体部１２０を間にして互いに対向する方向であり、対向方向Ｘとしては、一対の光源部１１０，１１０のうち、一方の光源部１１０におけるレーザ光源１１１の光射出口１１１ｂの中心と、他方の光源部１１０におけるレーザ光源１１１の光射出口１１１ｂの中心とを結ぶ仮想直線α［図２（ｂ）参照］の方向を例示できる。この例では、対向方向Ｘは、光照射方向Ｗ又は略光照射方向Ｗとなる。
【００９２】
かかる構成によると、一対の光源部１１０，１１０は、蛍光体部１２０を間にして互いに対向するように配設されていることで、投影光Ｍ（Ｍ１），Ｍ（Ｍ２）の形状の対向方向Ｘに直交する方向のサイズを合わせ易くすることができると共に、一対の光源部１１０，１１０の配設位置を同一仮想平面又は略同一仮想平面上に揃えることができる。
【００９３】
＜第１実施形態−９＞
第１実施形態に係る発光装置１００において、一対の光源部１１０，１１０の励起光Ｌ（Ｌ１），Ｌ（Ｌ２）の光軸［すなわち一方側の光源部１１０の励起光Ｌ（Ｌ１）の光軸と他方側の光源部１１０の励起光Ｌ（Ｌ２）の光軸と］が同一仮想平面又は略同一仮想平面上に位置し、該同一仮想平面又は略同一仮想平面は、蛍光体部１２０における光照射面１２０ａに対して直交又は略直交している。
【００９４】
かかる構成によると、一対の光源部１１０，１１０の励起光Ｌ（Ｌ１），Ｌ（Ｌ２）の光軸が同一仮想平面又は略同一仮想平面上に位置し、該同一仮想平面又は略同一仮想平面は、蛍光体部１２０における光照射面１２０ａに対して直交又は略直交していることで、投影光Ｍ（Ｍ１），Ｍ（Ｍ２）の光照射方向Ｗに直交する方向におけるサイズを最小にすることができ、それだけ励起光Ｌ（Ｌ１），Ｌ（Ｌ２）の照射による光照射面１２０ａでの照度を大きくすることができる。
【００９５】
＜第１実施形態−１０＞
第１実施形態に係る発光装置１００において、一対の光源部１１０，１１０は、線対称又は略線対称［この例では蛍光体部１２０における光照射面１２０ａの投影光Ｍ（Ｍ１），Ｍ（Ｍ２）の中心を通る仮想法線に対して線対称又は略線対称］になるように構成（具体的には配設）されている。
【００９６】
かかる構成によると、一対の光源部１１０，１１０は、線対称又は略線対称になるように構成されていることで、部品の共通化を実現できると共に、一対の光源部１１０，１１０を単純な配設構成にすることができ、これにより、発光装置１００のさらなる小型化を実現させることができる。このことは、一対の光源部１１０，１１０が蛍光体部１２０における光照射面１２０ａの投影光Ｍ（Ｍ１），Ｍ（Ｍ２）の中心を通る仮想法線に対して線対称又は略線対称になるように構成されている場合に、特に有効となる。
【００９７】
ここで、投影光Ｍの中心としては、投影光Ｍの長尺な形状において一端から他端に引いた直線の中で最長となる直線の中心を例示できる。なお、各投影光Ｍ〜Ｍの中心が異なる場合には、それらの平均をとった位置であってもよいし、各投影光Ｍ〜Ｍが重なった部分において一端から他端に引いた直線の中で最長となる直線の中心であってもよい。
【００９８】
＜第１実施形態−１１＞
ところで、光源部１１０〜１１０におけるレーザ光源１１１〜１１１から出射される励起光Ｌ〜Ｌの光軸方向に直交する垂直断面の形状が互いに異なっている場合、及び／又は、蛍光体部１２０における光照射面１２０ａにそれぞれ照射される励起光Ｌ〜Ｌの入射角度θ〜θが互いに異なっている場合には、蛍光体部１２０における光照射面１２０ａでの投影光Ｍ〜Ｍが重なった部分からはみ出した部分ができ易く、例えば、一対の光源部１１０，１１０のうち、一方の光源部１１０から光照射面１２０ａに投影される励起光Ｌ（Ｌ１）の光照射面１２０ａでの投影光Ｍ（Ｍ１）と、他方の光源部１１０から光照射面１２０ａに投影される励起光Ｌ（Ｌ２）の光照射面１２０ａでの投影光Ｍ（Ｍ２）とを一致又は略一致させることが困難となる。従って、光源部１１０〜１１０から光照射面１２０ａに投影される励起光Ｌ〜Ｌの光照射面１２０ａでの投影光Ｍ〜Ｍを互いに一致又は略一致させ易くすることが望まれる。
【００９９】
この点、第１実施形態に係る発光装置１００において、光源部１１０〜１１０におけるレーザ光源１１１〜１１１から出射される励起光Ｌ〜Ｌの光軸方向に直交する垂直断面の形状が何れも等しい又は略等しい形状とされ、光源部１１０〜１１０は、蛍光体部１２０における光照射面１２０ａにそれぞれ照射される励起光Ｌ〜Ｌの入射角度θ〜θが互いに等しい又は略等しくなるように構成（具体的には配設、より具体的には調整された状態で配設）されている。
【０１００】
かかる構成によると、光源部１１０〜１１０におけるレーザ光源１１１〜１１１から出射される励起光Ｌ〜Ｌの光軸方向に直交する垂直断面の形状が何れも等しい又は略等しい形状とされ、光源部１１０〜１１０は、蛍光体部１２０における光照射面１２０ａにそれぞれ照射される励起光Ｌ〜Ｌの入射角度θ〜θが互いに等しい又は略等しくなるように構成されていることで、光源部１１０〜１１０から光照射面１２０ａに投影される励起光Ｌ〜Ｌの光照射面１２０ａでの投影光Ｍ〜Ｍを互いに一致又は略一致させ易くすることができ、これにより、蛍光体部１２０における光照射面１２０ａでの投影光Ｍ〜Ｍが重なった部分からはみ出した部分をなくす又は略なくすことができ、従って、無駄なく蛍光Ｆの光強度をさらに向上させることができる。
【０１０１】
＜第１実施形態−１２＞
第１実施形態に係る発光装置１００において、光源部１１０〜１１０は、レーザ光源１１１〜１１１から出射される励起光Ｌ〜Ｌを反射させる反射ミラー１１２〜１１２をそれぞれ備えている。蛍光体部１２０は、光源部１１０〜１１０における反射ミラー１１２〜１１２から反射される励起光Ｌ〜Ｌを受けて蛍光Ｆを発光する。
【０１０２】
かかる構成によると、光源部１１０〜１１０は、反射ミラー１１２〜１１２をそれぞれ備え、蛍光体部１２０は、光源部１１０〜１１０における反射ミラー１１２〜１１２から反射される励起光Ｌ〜Ｌを受けて蛍光Ｆを発光することで、レーザ光源１１１〜１１１を蛍光体部１２０の光照射面１２０ａとは反対側に配設することができる。従って、レーザ光源１１１〜１１１の配設位置に関する設計の自由度を向上させることができる。
【０１０３】
＜第１実施形態−１３＞
第１実施形態に係る発光装置１００において、光源部１１０〜１１０は、レーザ光源１１１〜１１１が反射ミラー１１２〜１１２に向けて出射する励起光Ｌ〜Ｌが互いに平行又は略平行になるように構成（具体的には配設、より具体的には調整された状態で配設）されている。
【０１０４】
かかる構成によると、光源部１１０〜１１０は、レーザ光源１１１〜１１１が反射ミラー１１２〜１１２に向けて出射する励起光Ｌ〜Ｌが互いに平行又は略平行になるように構成されていることで、レーザ光源１１１〜１１１から励起光Ｌ〜Ｌを同一方向又は略同一方向に出射することができ、これにより、発光装置１００のさらなる小型化を実現させることができる。
【０１０５】
＜第１実施形態−１４＞
第１実施形態に係る発光装置１００において、光源部１１０〜１１０は、レーザ光源１１１〜１１１が反射ミラー１１２〜１１２に向けて出射する励起光Ｌ〜Ｌが何れも蛍光体部１２０における光照射面１２０ａに対して直交又は略直交するように構成（具体的には配設、より具体的には調整された状態で配設）されている。
【０１０６】
かかる構成によると、光源部１１０〜１１０は、レーザ光源１１１〜１１１が反射ミラー１１２〜１１２に向けて出射する励起光Ｌ〜Ｌが何れも蛍光体部１２０における光照射面１２０ａに対して直交又は略直交するように構成されていることで、レーザ光源１１１〜１１１から励起光Ｌ〜Ｌを光照射面１２０ａに対して直交又は略直交する方向に出射することができ、これにより、発光装置１００のより一層の小型化を実現させることができる。
【０１０７】
＜第１実施形態−１５＞
第１実施形態に係る発光装置１００において、励起光Ｌ〜Ｌを蛍光体部１２０における光照射面１２０ａに照射して光照射面１２０ａから蛍光Ｆを出射する反射型の発光原理を用いる。
【０１０８】
かかる構成によると、反射型の発光原理を用いることで、所謂反射型の発光装置１００の用途に好適に用いることができる。
【０１０９】
＜第１実施形態−１６＞
第１実施形態に係る発光装置１００において、既述のとおり、蛍光体部１２０における光照射面１２０ａ及び光照射面１２０ａとは反対側の面１２０ｂのうち、蛍光Ｆを出射する側の面（この例では光照射面１２０ａ）からの蛍光Ｆを投光する投光レンズ１７０をさらに備えている。
【０１１０】
投光レンズ１７０は、透過する蛍光Ｆを屈折させることで、所定の角度範囲で投光するものである。投光レンズ１７０は、蛍光体部１２０における光照射面１２０ａが蛍光Ｆを出射する側に配設されている。詳しくは、投光レンズ１７０は、蛍光Ｆを出射する側の面（この例では光照射面１２０ａ）に対向するように設けられている。
【０１１１】
かかる構成によると、投光レンズ１７０を備えていることで、蛍光体部１２０からの蛍光Ｆを予め定めた所定の方向に予め定めた所定の角度範囲で投光することができ、これにより、蛍光体部１２０からの蛍光Ｆを所望の方向に所望の角度範囲で投射することができる。
【０１１２】
＜第１実施形態−１７＞
第１実施形態に係る発光装置１００において、励起光Ｌ〜Ｌ［この例ではＬ（Ｌ１），Ｌ（Ｌ２）］の蛍光体部１２０における光照射面１２０ａへの入射角度θ〜θ［この例ではθ（θ１），θ（θ２）］は、投光レンズ１７０の取り込み角度δ〜δ［この例ではδ（δ１），δ（δ２）］（図１参照）よりも大きい。
【０１１３】
かかる構成によると、励起光Ｌ〜Ｌの蛍光体部１２０における光照射面１２０ａへの入射角度θ〜θは、投光レンズ１７０の取り込み角度δ〜δよりも大きいことで、蛍光体部１２０からの蛍光Ｆを無駄なく投光レンズ１７０に取り込むことができ、それだけ、蛍光体部１２０からの蛍光Ｆを効率的に投光レンズ１７０から投射することができる。
【０１１４】
ここで、取り込み角度δ〜δは、蛍光体部１２０における光照射面１２０ａの投影光Ｍ〜Ｍの中心を通る仮想法線と、投光レンズ１７０の両端及び投影光Ｍ〜Ｍの中心を通る仮想直線とのなす角度である。投影光Ｍの中心としては、投影光Ｍの長尺な形状において一端から他端に引いた直線の中で最長となる直線の中心を例示できる。
【０１１５】
［第２実施形態］
第２実施形態に係る発光装置１００において、一対の光源部１１０，１１０を複数対（この例では２対）備えている（後述する図５及び図６参照）。
【０１１６】
かかる構成によると、一対の光源部１１０，１１０を複数対（この例では２対）備えていることで、蛍光体部１２０における光照射面１２０ａでの蛍光Ｆの輝度をさらに大きくすることができる。
【０１１７】
＜第２実施形態−１＞
第２実施形態に係る発光装置１００において、複数対の光源部（１１０，１１０）〜（１１０，１１０）の少なくとも２組の一対の光源部は［この例では何れの一対の光源部（１１０，１１０）〜（１１０，１１０）も］、励起光（Ｌ，Ｌ）〜（Ｌ，Ｌ）が蛍光体部１２０における光照射面１２０ａで重なるように構成（具体的には配設、より具体的には調整された状態で配設）されている。
【０１１８】
かかる構成によると、複数対の光源部（１１０，１１０）〜（１１０，１１０）は、励起光（Ｌ，Ｌ）〜（Ｌ，Ｌ）が蛍光体部１２０における光照射面１２０ａで重なるように構成されていることで、蛍光体部１２０における光照射面１２０ａでの励起光（Ｌ，Ｌ）〜（Ｌ，Ｌ）が重なった部分の蛍光Ｆの光強度をさらに大きくすることができる。
【０１１９】
＜第２実施形態−２＞
第２実施形態に係る発光装置１００において、複数対の光源部（１１０，１１０）〜（１１０，１１０）は、少なくとも２組の一対の光源部が［この例では何れの一対の光源部（１１０，１１０）〜（１１０，１１０）も］線対称又は略線対称（この例では蛍光体部１２０における光照射面１２０ａの投影光Ｍ〜Ｍの中心を通る仮想法線に対して線対称又は略線対称）になるように構成（具体的には配設）されている。
【０１２０】
かかる構成によると、複数対の光源部（１１０，１１０）〜（１１０，１１０）は、少なくとも２組の一対の光源部が線対称又は略線対称になるように構成されていることで、一対の光源部１１０，１１０を複数対備えていたとしても、部品の共通化を実現できると共に、複数対の光源部（１１０，１１０）〜（１１０，１１０）を単純な配設構成にすることができ、これにより、発光装置１００のさらなる小型化を実現させることができる。このことは、複数対の光源部（１１０，１１０）〜（１１０，１１０）が蛍光体部１２０における光照射面１２０ａの投影光Ｍ〜Ｍの中心を通る仮想法線に対して線対称又は略線対称になるように構成されている場合に、特に有効となる。
【０１２１】
なお、投影光Ｍの中心は、第１実施形態−１０で説明した内容と同様であり、ここでは説明を省略する。
【０１２２】
＜第２実施形態−３＞
第２実施形態に係る発光装置１００において、複数対の光源部（１１０，１１０）〜（１１０，１１０）は、少なくとも２組の一対の光源部が［この例では何れの一対の光源部（１１０，１１０）〜（１１０，１１０）も］蛍光体部１２０を間にして互いに対向するように配設されている。
【０１２３】
かかる構成によると、複数対の光源部（１１０，１１０）〜（１１０，１１０）は、少なくとも２組の一対の光源部が蛍光体部１２０を間にして互いに対向するように配設されていることで、各一対の光源部１１０，１１０において、投影光Ｍ，Ｍの形状の対向方向Ｘに直交する方向のサイズを合わせ易くすることができると共に、各一対の光源部１１０，１１０の配設位置を同一仮想平面又は略同一仮想平面上に揃えることができる。
【０１２４】
＜第２実施形態−４＞
図５は、第２実施形態に係る発光装置１００の一例を示す概略構成図であって、図５（ａ）及び図５（ｂ）は、それぞれ、第１実施形態に係る発光装置１００において一対の光源部１１０，１１０をさらに備えた一例を示す側面図及び平面図である。
【０１２５】
図５に示す発光装置１００において、第１実施形態に係る発光装置１００と実質的に同じ構成の部材には同一符号を付し、その説明を省略する。
【０１２６】
第２実施形態に係る発光装置１００の一例において、複数対（この例では２対）の光源部（１１０，１１０）〜（１１０，１１０）は、複数対の光源部（１１０，１１０）〜（１１０，１１０）のうちの１組の一対の光源部（１１０，１１０）及び他の１組の一対の光源部（１１０，１１０）は、１組の一対の光源部（１１０，１１０）が対向する第１の対向方向Ｘ（Ｘ１）と他の１組の一対の光源部（１１０，１１０）が対向する第２の対向方向Ｘ（Ｘ２）とが直交又は略直交するように構成（具体的には配設）されている。
【０１２７】
１組の一対の光源部（１１０，１１０）は、第１実施形態に係る発光装置１００の構成と同様であり、ここでは説明を省略する。
【０１２８】
他の１組の一対の光源部（１１０，１１０）は、励起光Ｌ（Ｌ３），Ｌ（Ｌ４）を蛍光体部１２０における光照射面１２０ａにそれぞれ照射したときに励起光Ｌ（Ｌ３），Ｌ（Ｌ４）が光照射面１２０ａで重なるように（好ましくは少なくとも一つの励起光が他の励起光に対して光照射面１２０ａで全て重なるように）、且つ、光照射面１２０ａに投影される励起光Ｌ（Ｌ３），Ｌ（Ｌ４）の光照射面１２０ａでの投影光Ｍ（Ｍ３），Ｍ（Ｍ４）の長尺な形状の長手方向が互いに平行又は略平行になるように構成（具体的には配設、より具体的には調整された状態で配設）されている。その他の構成についても、第１実施形態に係る発光装置１００の構成と同様であり、ここでは説明を省略する。
【０１２９】
そして、第１の対向方向Ｘ（Ｘ１）は、励起光Ｌ（Ｌ１），Ｌ（Ｌ２）の光照射面１２０ａへの進行方向に沿った第１の光照射方向Ｗ（Ｗ１）又は略第１の光照射方向Ｗ（Ｗ１）となり、第２の対向方向Ｘ（Ｘ２）は、励起光Ｌ（Ｌ３），Ｌ（Ｌ４）の光照射面１２０ａへの進行方向に沿った第２の光照射方向Ｗ（Ｗ２）又は略第２の光照射方向Ｗ（Ｗ２）となる。
【０１３０】
かかる構成によると、複数対（この例では２対）の光源部（１１０，１１０）〜（１１０，１１０）のうちの１組の一対の光源部（１１０，１１０）及び他の１組の一対の光源部（１１０，１１０）は、１組の一対の光源部（１１０，１１０）が対向する第１の対向方向Ｘ（Ｘ１）と他の１組の一対の光源部（１１０，１１０）が対向する第２の対向方向Ｘ（Ｘ２）とが直交又は略直交するように構成されていることで、一対の光源部１１０，１１０を複数対備えていたとしても、複数対の光源部（１１０，１１０）〜（１１０，１１０）を蛍光体部１２０における光照射面１２０ａ、具体的には光照射面１２０ａの予め定めた所定の一点（例えば中心点）を中心として放射状に（例えば隣り合う光源部１１０，１１０の光軸間の距離が均等になるように）設けることができ、これにより、発光装置１００のコンパクト化を実現させることができる。
【０１３１】
＜第２実施形態−４の投影光の例について＞
図６及び図７は、図５に示す第２実施形態に係る発光装置１００の一例において、光照射面１２０ａに投影される励起光［Ｌ（Ｌ１），Ｌ（Ｌ２）］，［Ｌ（Ｌ３），Ｌ（Ｌ４）］の光照射面１２０ａでの投影光［Ｍ（Ｍ１），Ｍ（Ｍ２）］，［Ｍ（Ｍ３），Ｍ（Ｍ４）］を示す概略平面図である。図６（ａ）から図６（ｅ）及び図７（ａ）から図７（ｄ）は、その各例を示している。
【０１３２】
図６（ａ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して平行又は略平行になっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して直交又は略直交している。
【０１３３】
図８は、図６（ａ）に示す例おいて、本体シャーシ１３０を架台１９０に固定したときの概略断面図を示す。図８において励起光Ｌ１〜Ｌ４の断面形状と蛍光Ｆの断面形状との関係を説明するため、励起光Ｌ１〜Ｌ４、蛍光Ｆ、本体シャーシ１３０、架台１９０以外の構成の図示を省略している。かかる構成により、蛍光Ｆは長手方向が水平又は略水平になるため、自動車用前照灯などの水平方向Ｈに広い指向特性が望ましい用途に好適に用いることができる。
【０１３４】
図６（ｂ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して直交又は略直交しており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して平行又は略平行になっている。
【０１３５】
図６（ｃ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して斜めになっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して斜めになっている。
【０１３６】
図９は、図６（ｃ）に示す例おいて、本体シャーシ１３０を架台１９０に固定したときの概略断面図を示す。図９において励起光Ｌ１〜Ｌ４の断面形状と蛍光Ｆの断面形状との関係を説明するため、励起光Ｌ１〜Ｌ４、蛍光Ｆ、本体シャーシ１３０、架台１９０以外の構成の図示を省略している。かかる構成により、蛍光Ｆは長手方向が水平又は略水平になるため、自動車用前照灯などの水平方向Ｈに広い指向特性が望ましい用途に好適に用いることができる。さらに、図８及び図６（ａ）に示す例と比較して、隣り合う２つの励起光（図９に示す例では励起光Ｌ２，Ｌ４、励起光Ｌ１，Ｌ３）が水平方向又は略水平方向に配置されるため円筒型の本体シャーシ１３０の架台１９０側の円弧部（図９に示す例では下部）を省略することができる。つまり、本体シャーシ１３０の高さｈ１（図８参照）をより低くでき（図９に示す本体シャーシ１３０の高さｈ２参照）、装置のコンパクト化、走行中の空気抵抗の低減の観点から自動車用前照灯などにより好適に用いることができる。
【０１３７】
図６（ｄ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して平行又は略平行になっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して平行又は略平行になっている。
【０１３８】
図６（ｅ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して直交又は略直交しており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して直交又は略直交している。
【０１３９】
図７（ａ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して斜めになっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して直交又は略直交している。
【０１４０】
図７（ｂ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して斜めになっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して平行又は略平行になっている。
【０１４１】
図７（ｃ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して平行又は略平行になっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して斜めになっている。
【０１４２】
図７（ｄ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して直交又は略直交しており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して斜めになっている。
【０１４３】
図６（ａ）から図６（ｃ）に示す構成によると、投影光Ｍ（Ｍ１），Ｍ（Ｍ２），Ｍ（Ｍ３），Ｍ（Ｍ４）の形状の長手方向のサイズが大きくなることから、所定の直線方向に広い指向特性が望ましい用途（例えば水平方向に広い指向特性が望ましい車両用前照灯）に好適に用いることができる。
【０１４４】
また、図６（ｄ）及び図６（ｅ）並びに図７（ａ）から図７（ｄ）に示す構成によると、投影光Ｍ（Ｍ１），Ｍ（Ｍ２），Ｍ（Ｍ３），Ｍ（Ｍ４）の形状が真円側に近づくことから、略全方向に広い指向特性が望ましい用途（例えば略全方向に広い指向特性が望ましい投光器）に好適に用いることができる。
【０１４５】
なお、第２実施形態−４の構成例では、発光装置１００において一対の光源部１１０，１１０を２対備えた例を示したが、２対の光源部（１１０，１１０），（１１０，１１０）を１単位として複数単位備えていてもよい。
【０１４６】
＜第２実施形態−５＞
図１０は、第２実施形態に係る発光装置１００の他の例を示す概略構成図であって、図１０（ａ）及び図１０（ｂ）は、それぞれ、第１実施形態に係る発光装置１００において一対の光源部１１０，１１０をさらに備えた他の例を示す側面図及び平面図である。
【０１４７】
図１０に示す発光装置１００において、第１実施形態に係る発光装置１００と実質的に同じ構成の部材には同一符号を付し、その説明を省略する。
【０１４８】
第２実施形態に係る発光装置１００の他の例において、複数対（この例では２対）の光源部（１１０，１１０）〜（１１０，１１０）は、複数対の光源部（１１０，１１０）〜（１１０，１１０）のうちの１組の一対の光源部（１１０，１１０）及び他の１組の一対の光源部（１１０，１１０）は、１組の一対の光源部（１１０，１１０）が対向する第１の対向方向Ｘ（Ｘ１）と他の１組の一対の光源部（１１０，１１０）が対向する第２の対向方向Ｘ（Ｘ２）とが平行又は略平行になるように構成（具体的には配設）されている。
【０１４９】
１組の一対の光源部（１１０，１１０）は、第１実施形態に係る発光装置１００の構成と同様であり、ここでは説明を省略する。他の１組の一対の光源部（１１０，１１０）は、図５に示す第２実施形態−４に係る発光装置１００の構成と同様であり、ここでは説明を省略する。
【０１５０】
そして、第１の対向方向Ｘ（Ｘ１）は、励起光Ｌ（Ｌ１），Ｌ（Ｌ２）の光照射面１２０ａへの進行方向に沿った第１の光照射方向Ｗ（Ｗ１）又は略第１の光照射方向Ｗ（Ｗ１）となり、第２の対向方向Ｘ（Ｘ２）は、励起光Ｌ（Ｌ３），Ｌ（Ｌ４）の光照射面１２０ａへの進行方向に沿った第２の光照射方向Ｗ（Ｗ２）又は略第２の光照射方向Ｗ（Ｗ２）となる。
【０１５１】
かかる構成によると、複数対（この例では２対）の光源部（１１０，１１０）〜（１１０，１１０）のうちの１組の一対の光源部（１１０，１１０）及び他の１組の一対の光源部（１１０，１１０）は、１組の一対の光源部（１１０，１１０）が対向する第１の対向方向Ｘ（Ｘ１）と他の１組の一対の光源部（１１０，１１０）が対向する第２の対向方向Ｘ（Ｘ２）とが平行又は略平行になるように構成されていることで、一対の光源部１１０，１１０を複数対備えていたとしても、複数対の光源部（１１０，１１０）〜（１１０，１１０）を一方向［第１及び第２の対向方向Ｘ（Ｘ１），Ｘ（Ｘ２）］に沿って設けることができ、これにより、一方向に直交する方向でのコンパクト化を実現させることができる。
【０１５２】
この例では、１組の一対の光源部（１１０，１１０）の励起光Ｌ［Ｌ（Ｌ１），Ｌ（Ｌ２）］の光軸と他の１組の一対の光源部（１１０，１１０）の励起光Ｌ［Ｌ（Ｌ３），Ｌ（Ｌ４）］の光軸とが同一仮想平面又は略同一仮想平面上に位置し、該同一仮想平面又は略同一仮想平面は、蛍光体部１２０における光照射面１２０ａに対して直交又は略直交している。こうすることで、複数対の光源部（１１０，１１０）〜（１１０，１１０）を一方向［第１及び第２の対向方向Ｘ（Ｘ１），Ｘ（Ｘ２）］に沿った一直線上に設けることができ、これにより、一方向に直交する方向でのさらなるコンパクト化を実現させることができる。
【０１５３】
また、この例では、光源部１１０〜１１０は、蛍光体部１２０、具体的には光照射面１２０ａの予め定めた所定の一点（例えば中心点）を間にして内側から外側に行くに従って、光照射面１２０ａに照射される励起光の入射角度θ〜θ（θ１，θ２，θ３，θ４）［図１０（ａ）参照］が大きくなるように配設されている。こうすることで、光源部１１０〜１１０を効率的に配設することができる。なお、光源部１１０と蛍光体部１２０との間の距離が等しい又は略等しいときには、入射角度θを同一又は略同一とすることができる。
【０１５４】
＜第２実施形態−５の投影光の例について＞
図１１及び図１２は、図１０に示す第２実施形態に係る発光装置１００の他の例において、光照射面１２０ａに投影される励起光［Ｌ（Ｌ１），Ｌ（Ｌ２）］，［Ｌ（Ｌ３），Ｌ（Ｌ４）］の光照射面１２０ａでの投影光［Ｍ（Ｍ１），Ｍ（Ｍ２）］，［Ｍ（Ｍ３），Ｍ（Ｍ４）］を示す概略平面図である。図１１（ａ）から図１１（ｅ）及び図１２（ａ）から図１２（ｄ）は、その各例を示している。
【０１５５】
ここで、投影光［Ｍ（Ｍ３），Ｍ（Ｍ４）］の長手方向の長さは、投影光［Ｍ（Ｍ１），Ｍ（Ｍ２）］の長手方向の長さより大きくなる。これは入射角度θ３，θ４が入射角度θ１，θ２より大きく、投影光［Ｍ（Ｍ３），Ｍ（Ｍ４）］のｄＬ／ｃｏｓθが投影光［Ｍ（Ｍ１），Ｍ（Ｍ２）］のｄＬ／ｃｏｓθより大きくなるためである。
【０１５６】
図１１（ａ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して平行又は略平行になっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して平行又は略平行になっている。
【０１５７】
図１１（ｂ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して直交又は略直交しており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して直交又は略直交している。
【０１５８】
図１１（ｃ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して斜めになっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して斜めになっている。
【０１５９】
図１１（ｄ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して平行又は略平行になっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して直交又は略直交している。
【０１６０】
図１１（ｅ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して直交又は略直交しており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して平行又は略平行になっている。
【０１６１】
図１２（ａ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して斜めになっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して平行又は略平行になっている。
【０１６２】
図１２（ｂ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して斜めになっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して直交又は略直交している。
【０１６３】
図１２（ｃ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して平行又は略平行になっており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して斜めになっている。
【０１６４】
図１２（ｄ）に示す例では、１組の一対の光源部（１１０，１１０）からの励起光［Ｌ（Ｌ１），Ｌ（Ｌ２）］による投影光Ｍ（Ｍ１），Ｍ（Ｍ２）の形状の長手方向が第１の光照射方向Ｗ（Ｗ１）［第１の対向方向Ｘ（Ｘ１）］に対して直交又は略直交しており、他の１組の一対の光源部（１１０，１１０）からの励起光［Ｌ（Ｌ３），Ｌ（Ｌ４）］による投影光Ｍ（Ｍ３），Ｍ（Ｍ４）の形状の長手方向が第２の光照射方向Ｗ（Ｗ２）［第２の対向方向Ｘ（Ｘ２）］に対して斜めになっている。
【０１６５】
図１１（ａ）から図１１（ｃ）に示す構成によると、投影光Ｍ（Ｍ１），Ｍ（Ｍ２），Ｍ（Ｍ３），Ｍ（Ｍ４）の形状の長手方向のサイズが大きくなることから、所定の直線方向に広い指向特性が望ましい用途（例えば水平方向に広い指向特性が望ましい車両用前照灯）に好適に用いることができる。
【０１６６】
また、図１１（ｄ）及び図１１（ｅ）並びに図１２（ａ）から図１２（ｄ）に示す構成によると、投影光Ｍ（Ｍ１），Ｍ（Ｍ２），Ｍ（Ｍ３），Ｍ（Ｍ４）の形状が真円側に近づくことから、略全方向に広い指向特性が望ましい用途（例えば略全方向に広い指向特性が望ましい投光器）に好適に用いることができる。
【０１６７】
なお、第２実施形態−５の構成例において、複数対の光源部は、１組の一対の光源部（１１０，１１０）及び他の１組の一対の光源部（１１０，１１０）に加えて、図示を省略したが、さらに他の１組の一対の光源部（１１０，１１０）及びさらに別の１組の一対の光源部（１１０，１１０）を含み、さらに他の１組の一対の光源部（１１０，１１０）及びさらに別の１組の一対の光源部（１１０，１１０）は、さらに他の１組の一対の光源部（１１０，１１０）が対向する第３の対向方向とさらに別の１組の一対の光源部（１１０，１１０）が対向する第４の対向方向とが平行又は略平行になるように、且つ、第３及び第４の対向方向が第１及び第２の対向方向Ｘ（Ｘ１），Ｘ（Ｘ２）に直交又は略直交するように構成されていてもよい。
【０１６８】
また、第２実施形態−５の構成例では、発光装置１００において一対の光源部１１０，１１０を２対備えた例を示したが、３対以上備えていてもよい。
【０１６９】
また、第２実施形態−５の構成例において、光源部１１０〜１１０を、蛍光体部１２０を間にして内側から外側に行くに従って、光照射面１２０ａに照射される励起光の入射角度が大きくなるように配設したが、光源部１１０を複数設けた他の構成において、同様の構成にしてもよい。
【０１７０】
また、本実施形態では、蛍光体部１２０に対し一方向（この例では左右方向）の励起光の入射角度が等しい構成、つまり、（励起光Ｌ１の入射角度θ１＝励起光Ｌ２の入射角度θ２）、（励起光Ｌ３の入射角度θ３＝励起光Ｌ４の入射角度θ４）としたが、励起光Ｌが対称でなくてもよい。例えば、励起光Ｌ２と励起光Ｌ４とを省略して励起光Ｌ１と励起光Ｌ３との組み合わせとすることも可能である。この場合、入射角度が等しい場合と比べてスポットの重なる効果は少なくなるが、スポットの長手方向を揃えることで一定のスポットの重なりは期待でき、光源部１１０の設置場所に制約がある場合などにおいては特に有効である。
【０１７１】
［第３実施形態］
図１３は、第３実施形態に係る発光装置１００を示す概略構成図であって、光源部１１０〜１１０からの励起光Ｌ〜Ｌを蛍光体部１２０における光照射面１２０ａに直接的に照射する例を示す断面図である。
【０１７２】
図１３に示す第３実施形態に係る発光装置１００は、第１実施形態に係る発光装置１００においてミラーユニット１６０〜１６０を除去して光源部１１０〜１１０からの励起光Ｌ〜Ｌを蛍光体部１２０における光照射面１２０ａに直接的に照射するようにした以外は、第１実施形態に係る発光装置１００と同様の構成とされている。
【０１７３】
図１３に示す発光装置１００において、第１実施形態に係る発光装置１００と実質的に同じ構成の部材には同一符号を付し、その説明を省略する。
【０１７４】
図１３に示す発光装置１００において、光源部１１０〜１１０からの励起光Ｌ〜Ｌを蛍光体部１２０における光照射面１２０ａに直接的に照射する構成とされている。
【０１７５】
この例では、蛍光体部１２０と投光レンズ１７０との間の位置にレーザ光源１１１〜１１１が設けられている。
【０１７６】
図１３に示す発光装置１００では、レーザ光源１１１〜１１１から出射された励起光Ｌ〜Ｌが蛍光体部１２０における光照射面１２０ａに照射され、これにより蛍光Ｆが発生する。そうすると、蛍光Ｆを出射する側の面（この例では光照射面１２０ａ）で出射した蛍光Ｆが投光レンズ１７０を介して外部に投光される。
【０１７７】
かかる構成によると、光源部１１０〜１１０からの励起光Ｌ〜Ｌを蛍光体部１２０における光照射面１２０ａに直接的に照射する構成とされていることで、発光装置１００を簡単な構成にすることができ、それだけ発光装置１００を小型化することができる。
【０１７８】
なお、第３実施形態の構成例では、第１実施形態に係る発光装置１００においてミラーユニット１６０〜１６０を除去して光源部１１０〜１１０からの励起光Ｌ〜Ｌを蛍光体部１２０における光照射面１２０ａに直接的に照射するようにしたが、第２実施形態並びに後述する第５実施形態及び第６実施形態に係る発光装置１００においてミラーユニット１６０〜１６０を除去して光源部１１０〜１１０からの励起光Ｌ〜Ｌを蛍光体部１２０における光照射面１２０ａに直接的に照射するようにしてもよい。
【０１７９】
［第４実施形態］
図１４は、第４実施形態に係る発光装置１００を示す概略構成図であって、透過型の構成例を示す断面図である。
【０１８０】
第４実施形態に係る発光装置１００は、第３実施形態に係る発光装置１００の反射型の構成に代えて透過型の構成にしている。
【０１８１】
図１４に示す発光装置１００において、第１実施形態に係る発光装置１００と実質的に同じ構成の部材には同一符号を付し、その説明を省略する。
【０１８２】
第４実施形態に係る発光装置１００において、励起光Ｌ〜Ｌを蛍光体部１２０における光照射面１２０ａに照射して光照射面１２０ａとは反対側の面１２０ｂから蛍光Ｆを出射する透過型の発光原理を用いる。
【０１８３】
かかる構成によると、透過型の発光原理を用いることで、所謂透過型の発光装置１００の用途に好適に用いることができる。
【０１８４】
なお、第４実施形態の構成例では、第３実施形態に係る発光装置１００の反射型の構成に代えて透過型の構成にしているが、第１実施形態及び第２実施形態並びに後述する第５実施形態及び第６実施形態に係る発光装置１００の反射型の構成に代えて透過型の構成にしてもよい。
【０１８５】
［第５実施形態］
図１５は、第５実施形態に係る発光装置１００を示す概略構成図であって、一対の光源部１１０，１１０の光照射方向Ｗ，Ｗが交差する例を示す側面図である。
【０１８６】
図１５に示す発光装置１００は、図５に示す第２実施形態−４（第２実施形態に係る発光装置１００の一例）の構成において、１組の一対の光源部（１１０，１１０）の何れか一方の光源部１１０及び他の１組の一対の光源部（１１０，１１０）の何れか一方の光源部１１０を除去したものである。
【０１８７】
図１５に示す発光装置１００において、第２実施形態−４に係る発光装置１００と実質的に同じ構成の部材には同一符号を付し、その説明を省略する。
【０１８８】
図１５に示す発光装置１００において、一対の光源部１１０，１１０は、一方の光源部１１０の励起光Ｌ（Ｌ３）の光照射面１２０ａへの進行方向に沿った光照射方向Ｗ（Ｗ１）と、他方の光源部１１０の励起光Ｌ（Ｌ２）の光照射面１２０ａへの進行方向に沿った光照射方向Ｗ（Ｗ２）とが交差（この例では直交又は略直交）するように配設されている。
【０１８９】
かかる構成によると、一対の光源部１１０，１１０は、一方の光源部１１０の励起光Ｌの光照射面１２０ａへの進行方向に沿った光照射方向Ｗと、他方の光源部１１０の励起光Ｌの光照射面１２０ａへの進行方向に沿った光照射方向Ｗとが交差するように配設されていることで、蛍光体部１２０を間にして光源部１１０，１１０とは反対側には光源部１１０，１１０が設けられていないことから、該反対側のスペースを有効に利用することができる。
【０１９０】
なお、光源部１１０〜１１０は、３以上であってもよい。この場合、３以上の光源部１１０〜１１０を蛍光体部１２０における光照射面１２０ａ、具体的には光照射面１２０ａの予め定めた所定の一点（例えば中心点）を中心として放射状に（例えば隣り合う光源部１１０，１１０の光軸間の距離が均等になるように）設けることができる。
【０１９１】
［第６実施形態］
図１６は、第６実施形態に係る発光装置１００を示す概略構成図であって、リフレクター１８０を備えた例を示す側面図である。
【０１９２】
図１６に示す発光装置１００は、図２に示す第１実施形態の構成において、投光レンズ１７０に代えて或いは加えて（この例では代えて）リフレクター１８０を設けたものである。
【０１９３】
図１６に示す発光装置１００において、第１実施形態に係る発光装置１００と実質的に同じ構成の部材には同一符号を付し、その説明を省略する。
【０１９４】
図１６に示す発光装置１００は、蛍光体部１２０における光照射面１２０ａからの蛍光Ｆを投光するリフレクター１８０を備えている。
【０１９５】
かかる構成によると、蛍光体部１２０における光照射面１２０ａからの蛍光Ｆを投光するリフレクター１８０を備えていることで、簡単な構成でありながら、蛍光体部１２０からの蛍光Ｆを予め定めた所定の方向に投射することができ、これにより、蛍光体部１２０からの蛍光Ｆを所望の方向に投射することができる。
【０１９６】
図１６に示す発光装置１００は、例えば、自動車のヘッドランプ（車両用前照灯）に好適に用いることができる。
【０１９７】
リフレクター１８０は、蛍光体部１２０における光照射面１２０ａから出射された蛍光Ｆを投光するものである。リフレクター１８０は、例えば、樹脂製の部材の内側表面に金属薄膜が形成された部材であってもよいし、金属製の部材であってもよい。
【０１９８】
リフレクター１８０は、放物線の対称軸を回転軸として、該放物線を回転させることによって形成される反射曲面を、該回転軸に平行な平面で切断することによって得られる部分曲面の少なくとも一部をその反射曲面に含んでいる。リフレクター１８０は、蛍光体部１２０における光照射面１２０ａから出射された蛍光Ｆを投光する方向に、半円形の開口部１８０ａを有している。蛍光体部１２０における光照射面１２０ａは、リフレクター１８０のほぼ焦点の位置に配設されている。
【０１９９】
かかる構成を備えた発光装置１００では、蛍光体部１２０における光照射面１２０ａで発生した蛍光Ｆは、リフレクター１８０によって平行に近い光線束が形成された状態でリフレクター１８０の開口部１８０ａから車両の進行方向に向けて投光される。これにより、光照射面１２０ａで発生した蛍光Ｆを狭い立体角内に効率的に投光することができる。
【０２００】
なお、リフレクター１８０は、円形の開口部１８０ａを有するフルパラボラミラー、又は、その一部を含むものであってもよい。また、パラボラミラー以外にも、楕円面や自由曲面形状、或いは、マルチファセット化されたもの（マルチリフレクター）を用いることができる。さらに、リフレクター１８０の一部に曲面ではない部分を含めてもよい。或いは、リフレクター１８０は、蛍光体部１２０における光照射面１２０ａからの蛍光Ｆを拡大投影するようなものであってもよい。
【０２０１】
また、図示を省略したが、発光装置１００は、リフレクター１８０の開口部１８０ａに投光する角度範囲を制御する投光レンズ等の光学部材がさらに設けられていてもよい。
【０２０２】
また、第６実施形態の構成例では、リフレクター１８０を第１実施形態に係る発光装置１００に設けたが、第２実施形態から第５実施形態に係る発光装置１００において投光レンズ１７０に代えて或いは加えてリフレクター１８０を設けてもよい。
【０２０３】
（その他の実施の形態）
以上説明した本実施の形態に係る発光装置１００は、自動車以外の車両用前照灯に適用してもよい。さらに、発光装置１００は、それには限定されないが、例えば、投光器、車両以外の移動物体（具体的には人間、船舶、航空機、潜水艇、ロケットといった移動体）のヘッドランプ、サーチライト、プロジェクタ、或いは、ダウンライト、スタンドランプといった室内照明器具などの照明装置に適用することができる。
【０２０４】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【０２０５】
この出願は、２０１５年１１月６日に日本で出願された特願２０１５−２１８５０９号に基づく優先権を請求する。これに言及することにより、その全ての内容は本出願に組み込まれるものである。
【産業上の利用可能性】
【０２０６】
本発明は、励起光を蛍光体部における光照射面に照射することで蛍光を発光する発光装置に係るものであり、特に、複数の励起光を重ねて蛍光体部における光照射面に照射するにあたり、光照射面での蛍光の輝度を向上させるための用途に適用できる。
【符号の説明】
【０２０７】
１００    発光装置
１１０    光源部
１１１    レーザ光源
１１１ａ  半導体レーザ素子
１１１ｂ  光射出口
１１２    反射ミラー
１２０    蛍光体部
１２０ａ  光照射面
１２０ｂ  光照射面とは反対側の面
１３０    本体シャーシ
１３１    収容部
１３２    励起光用通過孔
１３３    投影光用通過孔
１４０    光源ユニット
１４１    コリメートレンズ
１４２    ねじ構造
１５０    押えプレート
１６０    ミラーユニット
１６１    保持部材
１７０    投光レンズ
１８０    リフレクター
１８０ａ  開口部
Ｆ        蛍光
Ｋｍａｘ  最長の直線
Ｌ        励起光
Ｍ        投影光
ＳＣ      固定部材
Ｗ        光照射方向
Ｘ        対向方向
α        仮想直線
δ        取り込み角度
θ        入射角度
φ        角度
【図１】
2017077757.tif 000003
【図２】
2017077757.tif 000004
【図３】
2017077757.tif 000005
【図４】
2017077757.tif 000006
【図５】
2017077757.tif 000007
【図６】
2017077757.tif 000008
【図７】
2017077757.tif 000009
【図８】
2017077757.tif 000010
【図９】
2017077757.tif 000011
【図１０】
2017077757.tif 000012
【図１１】
2017077757.tif 000013
【図１２】
2017077757.tif 000014
【図１３】
2017077757.tif 000015
【図１４】
2017077757.tif 000016
【図１５】
2017077757.tif 000017
【図１６】
2017077757.tif 000018
【図１７】
2017077757.tif 000019
【国際調査報告】
2017077757.tif 000020
2017077757.tif 000021